(57)【要約】本発明は、ペーパーマシン又はその類における移動する繊維（4b）に対するシーリング装置（7）に関連している。シーリング装置は、繊維（4b）によって支持された紙シート（4a）と関連して、繊維（4b）側に全幅で置かれた固いシーリング部材（4b）を含む。シーリング部材は、繊維（4b）に関しシーリング部材の位置が繊維により近くにか、又は、同様に、さらに離れるように制御できるように支持上で配置されている。シーリング部材としては、少なくとも、単室ラビリンスシーリング（19）が存在する。
2006506548.tif 000002
【特許請求の範囲】
【請求項１】
繊維（４ｂ）により支持される紙シート（４ａ）との関係で全幅に亘り繊維（４ｂ）側に載置される硬いシーリング部材（９）を含む、ペーパーマシン又はその類における移動する繊維（４ｂ）に対するシーリング装置（７）であって、
前記シーリング部材が、繊維（４ｂ）に対するシーリング部材の位置が繊維（４ｂ）により近く又は対応してより遠くに調整できるように、支持体上に配置されること、及び、シーリング部材として少なくとも単室型のラビリンス（１９）が存在すること、の組み合わせを特徴とするシーリング装置。
【請求項２】
生ずるエアフローにより、前記シーリング部材の前記繊維側での圧力が、前記シーリング部材の他の側での圧力と異なるように選択することにより、前記シーリング部材が、繊維（４ｂ）に対してより近く又はより遠くに移動できる、請求項１に記載のシーリング装置。
【請求項３】
前記シーリング部材の前記繊維からの距離は、ベローズ（２３）又は媒体で作動する対応する移動部材における調整される圧力の作用により決定される、請求項１に記載のシーリング装置。
【請求項４】
生ずるエアフローが無い場合、前記シーリング部材の最も近い表面は、前記繊維に少なくともほとんど僅かに接触する、請求項２又は３に記載のシーリング装置。
【請求項５】
紙ウェブの略全幅に載置される前記シーリング部材は、連続的なクロス方向のシーリング部材ユニットから形成される、請求項４に記載のシーリング装置。
【請求項６】
前記シーリング部材は、前記繊維の表面に近い駆動位置において交換可能であるシーリングフォームを支持するフレーム構造（２２）を含む、請求項５に記載のシーリング装置。
【請求項７】
シーリングは、少なくとも単一のラビリンスシーリングであり、好ましくはマルチラビリンスシーリングである、請求項６に記載のシーリング装置。
【請求項８】
圧力媒体が、前記シーリング部材の位置の案内のために用いられる、請求項１〜７の何れかに記載のシーリング装置。
【請求項９】
前記シーリング部材のフレーム構造は、エアフローを調整する開口（２８）を含む、請求項１〜８の何れかに記載のシーリング装置。
【請求項１０】
前記シーリング部材は、そのフレームから、ヒンジ型の支持部材（１０）で支持される、請求項１〜９の何れかに記載のシーリング装置。
【請求項１１】
前記ヒンジ型の支持部材は、前記シーリング部材よりも高い位置に配置される、請求項１０に記載のシーリング装置。
【請求項１２】
当該シーリング装置の構造は、地球の重力が前記シーリング部材に対して前記繊維から引き離す力で作用するように配置される、請求項１０に記載のシーリング装置。
【請求項１３】
当該シーリング装置の構造は、前記シーリング部材が、エアフローにより、前記繊維に近づく方向に引く力を受けるように、配置される、請求項１０に記載のシーリング装置。
【請求項１４】
前記ラビリンスシーリングは、アルミニウムにより、或いは、代替的に、少なくとも前記繊維に近い部分に関して、ボード、板紙、ポリマー又その類により形成される、請求項１〜１３の何れかに記載のシーリング装置。
【発明の詳細な説明】
【発明の詳細な説明】
【０００１】
［発明の技術分野］
本発明の対象物は、以下に表した独立項の冒頭部によるペーパーマシン又はその類における、移動する繊維に対するシーリング装置である。本発明は、特に、繊維によって支持された紙シートと関連して、全幅で、繊維側に置かれた硬いシーリング部材を含むシーリング装置に関係する。
【０００２】
［先行技術］
紙ウェブ（紙匹）の高速や可変速度においてさえも、ワイヤーに関連して乾燥されるように紙シート（paper  sheet）を保つために、異なった方法で紙ウェブを案内することが知られている．例えば、負圧の使用に基づく吹付け機器や装置が使われる。紙ウェブの速度が1500m/minを超えるとき、通常の装置は、安定し且つ乱れない機能を維持するために、もはや、十分ではないことが、注意されてきた。ペーパーマシンが信頼できる方法で機能すること、即ち、所謂、運転性が良いものでなければならないことは、本質的である。ウェブの破れ（web  breaks）に対処するために要する時間は、同時にかなりの量の製品をロスすることになり、高価のものとなる。これは、また、納品の信頼性と従って工場の重要な経済価値に影響する。エアフローと圧力差を制御するために、ペーパーマシンの紙ウェブ、ワイヤーとシリンダーに関連して、シーリングの異なった種類を使うことが、知られている。ワイヤー又は紙ウェブからのシーリング距離は、正確に案内されねばならない：非常に大きな間隙から、空気は制御できないように漏れてしまうであろうし、もしも間隙が非常に小さならば、シーリングは、紙ウェブと接触し、なおそのうえに、損傷を引き起こすであろう。US特許6192597は、ウェブを横切って搭載されたシーリング板がシーリング部材として使われる構造、シーリング板がパワーシリンダーで調整でき、且つ、ワイヤーにより近くで、ワイヤーからさらに離して、自在継ぎ手によって支持できる位置、を表している。この種の装置は、自己調整特性を持っていないので、もし状況が変化したなら、むしろ困難で再調整を必要とする間隙は、適当な寸法に調整することによって、探しも取られる必要がある。US特許5782009は、紙ウェブを制御するため、吸引ボックスで空気が開口しているニップに近い領域から吸引されるところの、紙ウェブ近くに延伸している吸引ボックスを表している。吸引ボックス部分の前端は、しかしながら、紙ウェブ近くであり、簡単な板状シーリング部分でのみ形成されている。特許出願FI20012160は、トリガーヒンジ上に置かれた湾曲したシーリング部材の助けで、所謂、コアンダ効果が利用される吸引ボックス構造を表している。構造は、むしろ、非常に大きな範囲でロール間の隙間を満たす大きな寸法である。機械的な接触では、シーリング自身がワイヤーの効果により非常に早く磨耗することは、また、考慮されるべきである。その場合、シーリングは、非常に時々、取り替えられる必要がある。磨耗したシーリングは、引きちぎられることさえあるであろう、従って、ワイヤーが損傷するので、生産に対し重要な混乱を生じさせる。ペーパーマシンの乾燥セクションで空気ガイダンスシステム（air  guidance  system）の使用に対し、過剰圧力（overpressure）空気と負圧空気の生成は、多くのエネルギーを消耗する。大規模な負圧を生成するためには、ブロワー、圧縮機と負圧ポンプの電気モータは、大きな出力を持つ必要があり、機器に属する流路は大きな寸法である必要がある。また、騒音問題はかなり大きい。それ故に、騒音防止のために使われる音減衰器は、大きく高価で、工場空間の多くを占める。
【０００３】
［本発明の目的と記載］
本発明の主目的は、上述の既存技術に生じる問題を減少させる又はさらに取除くことである。
【０００４】
本発明の目的は、特に、ペーパーマシンの運転性と操作効率を改善することであり、従って、同時に、生産速度が高い、即ち、速度が1500m/min、さらに2000m/minを超えるとき、特に、ペーパーマシンの信頼性を改善することである。本発明の目的は、また、エネルギー消費と騒音問題を減らすことである。目的は、また、騒音防止に必要な音減衰器の寸法を減らすことである。
【０００５】
上述の目的を実行するため、とりわけ、本発明によるペーパーマシン又はその類における、移動する繊維に対するシーリング装置は、添付の独立項の特徴を示す部分で表されているところのものによって特徴付けられる。
【０００６】
この本文でシートは、ペーパーマシンで生産される紙、板又は他の対応するシートを意味している。繊維は、該シートを支持するために、ペーパーマシンで可動メッシュ、ワイヤー又はその類を意味している。ラビリンスシーリングは、本目的に適したラビリンスシーリングのすべての種類を意味している。
【０００７】
シリンダーと紙ウェブ又はその類を支持している、ワイヤーのような、繊維との間の開口している間隙からやってくるシートは、開口している楔空間で、シートに影響を与える負圧脈動の助けで、シリンダーのより付着性のある平面に従う傾向がある。このような力は、乾燥セクションの前で、シートを繊維に従わせるために、繊維を通る負圧によって、シートに逆作用される。本発明の目的は、負圧空間の負圧損失を減らすことによって、該吸引の制御を増強し改善することである。
【０００８】
ペーパーマシン又はその類における本発明による移動する繊維に対する典型的なシーリング装置は、繊維によって支持された紙シートと関連し、少なくとも主に紙シートの全幅で、繊維側に置かれた固いシーリング部材を含む。シーリング部材が、繊維に関しシーリング部材の位置が繊維により近く又は繊維からより遠く調整されるように、支持に関して配置された場合、シーリングの機能は、シーリングとシールされる表面間の相互空間が規定できるように制御されることができ、従って、シーリング装置の緊密さに影響する。この事実は、要求される空気量、従って、エネルギー消費にかなりの影響を持つ。少なくとも単室ラビリンスシーリングがシーリング部材として使われる場合は、この選択は、単に一つの場所でシーリング点を持つ通常のシーリング装置に比べより密なシーリングを提供する。それによって、ラビリンスシーリングの場所の選択によって、効率的なシーリングばかりでなくエネルギー節減が達成される。
【０００９】
シーリング部材が繊維から異なった距離に移動可能な本発明によるシーリング装置では、ラビリンスシーリングは、特に、有利である。もしも、例えば、それ自身の動きにより、移動する繊維と接触するとき、シーリング部材が磨滅すれば、ただ一つのシーリング点を持つシーリング部材と比べるとき、ラビリンスシーリングのいくらかのシーリング点のお陰で、シーリング効果は、かなりよいままである。典型的にシーリングに損傷を与える、一枚の紙のような異物がシーリングと繊維間を通過するとき、ラビリンスシーリングの構造は、また、利点を示す。そのとき、ラビリンスシーリングのいくらかの連続したシーリング領域のうちの、少なくとも幾つの領域は、ある程度、完全な状態のままである可能性が高い。ラビリンスシーリングにおけるように、いくらかのシーリング点を同時に動くように配置することは、もしもいくらかの分離した単独のシーリング部材が使われるならば、複雑な構造を必要とするであろう。
【００１０】
本発明の一つの実施例は、作られた空気流れの助けで、シーリング部材の繊維側の圧力がシーリング部材の反対側での圧力と異なっているように、空気流れが導くことのできる手段を含む。この方法で、シーリング部材は、繊維に関して、該空気流れ導くことと圧力差とによって、そこにより近づけたり又は離したり、動かされることができる。そのとき、何らの特別な機械的に動かす要素は必要ないが、遠隔制御は、それ自体は知られている制御技術を使うことによって容易に遂行できる。
【００１１】
本発明の一つの実施例は、制御された方法で、媒体をベローズ又はその類に導くための手段と同様に、シーリング部材に関連して、媒体で操作されるベローズ又は対応して動く要素を含む。ベローズ又はその類内における取り決められた圧力と、それによって、ベローズ又はその類の動きと、それによって、該ベローズに接続されたシーリング部材の繊維からの距離を、この方法で制御することは可能である。シーリング部材の動きの相対的に簡単な調整は、この方法で、達成される。ベローズにおいて、加圧された空気は、また、たとえ他の圧力媒体が可能であるけれども、典型的には、圧力媒体として使われる。
【００１２】
シーリング部材の最も近い表面が、空気流れを引き起こさずに、少なくとも主に繊維と僅かな接触する場合、シーリング効果はよく、しかも、シーリングの磨耗はむしろ小さい。
【００１３】
本発明の一つの実施例により、少なくとも、紙ウェブの全幅に、主に置かれているシーリング部材は、いくらかの連続して配置されたシーリング部材ユニットの、好ましくは、少なくとも二個から形成される。それによって、装置は、また、本発明による装置、例えば、断面方向に置かれたあるペーパーマシンフレーム部分に、個々のシーリング部材ユニットを取り外し可能で固定する手段を含む。そのようなシーリング部材ユニットは、分離して製作され、搭載される。従って、搭載と運転（servicing）の測定は、ウェブの幅を持つシーリング部材を取り扱うときよりも非常に簡単で容易である。
【００１４】
シーリング部材が、繊維表面近くの走行位置で取り替えることができるシーリング形状を支持するフレーム構造を含む場合、取り替える操作は、素早く且つ容易に遂行されることができる。磨耗した容易に取り替えることのできるシーリング部材のみを取り替えることは、有利である。
【００１５】
シーリングが、少なくとも、簡単なラビリンスシーリングであり、好ましくは、多重ラビリンスシーリングである場合、効率的なシーリング効果とそれによって低いエネルギー消費は達成される。
【００１６】
本発明の一つの実施例により、圧力媒体は、シーリング部材の位置を案内するために使われる。それによって、電気的且つ機械的構造は、そのような構造は度々動作的な不安定性と機能障害を含むことが知られているので、避けられることができる。
【００１７】
本発明の一つの実施例により、シーリング部材のフレーム構造は、空気流れを調整するための開口部を含む。そのような構造は、操作上簡単で安全である。そのような調整開口部は、組合せ、例えば、一対の開口部の開口部が、お互いに関して、移動できるように配置されているところの異なった物体中にあるようなペア、として配置されることができる。この動きは、例えば、開口部がお互いに全体又は部分的に対面することができ、又は、お互いに全く対面しないように、本発明により、媒体装置で案内されることができる。例えば、開口部がお互いに対面するとき、空気流れは開口部を通過することができる。そのような開口部がお互いに関して動かされるとき、開口部を通過する空気流れは、少なくとも、主に阻止される。そのような解決策では、移動する部分は必ずしも全く必要ではない。
【００１８】
本発明による一個のシーリング部材のフレームは、ヒンジ型の支持要素によって支持され、それによって、構造が容易に製造され、分離した移動部分を持たない。
【００１９】
本発明の一つの実施例により、ヒンジ型支持は、シーリング部材より高く置かれる。そのとき、構造は、地球の重力が繊維から押し離す力で構造に作用し、空気流れの助けで、構造が繊維により近くに、初期位置から、ずらされるように、配置されることができる。本解決策は、また、この場合において、ズレの終わりはシーリング部材を繊維から更に遠ざけるので、安全であり、それによって、何らの損傷の危険性がない。下方から関節で繋がれたシーリングは、また、考えることができるが、しかし、その場合、機械的復旧によって荷重ロスを確実にする必要が常にあり、また、シーリング部材動きの調整を実行することは、通常、より挑戦的である。
【００２０】
負圧化された空間と関連して配置され、繊維に対するその距離によって調整されたラビリンスシーリングは、当該シーリング部材の製造が大きな公差で実行でき、従って、低コストであるので、有利な解決策である。しかしながら、そのようなアプリケーションは、特にかなり狭いペーパーマシンにおいて、シーリングが別の方法で対応して実行されているが、調整がないか又はほんの僅かの機械的調整マージンがあるだけであると、みなすことができる。
【００２１】
該ラビリンスシーリングはアルミニウム又は、一方、少なくとも繊維近くにある部分に関して、板紙、ペーパボード、ポリマー又はその類から作れることが推薦される。そのとき、述べた解決策の残りに対し、同様に、シーリングの製造は全く容易であり、アルミニウムから作られるシーリング部材に対しいくらかの代替的な製造方法がある。
【００２２】
次に、本発明は、添付の図式的に記載図を参照により詳細に記載される。
【００２３】
［図の実施例の詳細な説明］
図1において、参照番号1は、ペーパーマシンの乾燥セクションでのシリンダーを指し、シリンダー1の回転方向は参照印1aで示されている。ここでは破線で記されたペーパシート4aと破線でない線で記された繊維4bを含むウェブ4は、シリンダー1の後、回転するロール2に移動し、更に、シリンダー3に移る。回転方向は、矢印2aと3aで記されている。ウェブ4がシリンダーの周囲から後方の回転する吸引ロール2の方向に離れるシリンダー1の点は、参照番号5で記され、参照番号6はウェブ4に沿ってそこから前進したある距離を記している。
【００２４】
図2は、シリンダー1、2と3間の領域と繊維４bによって形成されるポケット空間から、図1による乾燥セクションの一部分を、拡大図として示している。点5と6近くに、マシンの断面方向で、ウェブ4の幅又はもし必要ならば更に幅広を持つボックス状負圧空間8を形成するシーリング装置が、そこに置かれてきた。シーリング装置7は、その上部から、参照番号5の点より少なくともある程度高く置かれることが、通常、必要であり、その結果として、機能が効率的となるであろう。
【００２５】
図3は、点6で使われるシーリング部材9aを拡大して図示されたもので、シーリング部材は、その上部から、シーリング部座を下に傾斜することを可能にする支持点10に懸垂固定法で置かれている。支持点10で、それ自身知られている、所謂、トリガーヒンジ（trigger  hinge）を使うことが、推薦される。シーリング部材9aは、ウェブ4の繊維4ｂ側であるシーリング部材9aのその側上に空間11があるラビリンスシーリング又はその類のための空間11を持つ。加圧された空気がボックス状部分9bに導かれるとき、これは、シーリング部材9aが繊維4bにより近くに動くように、シーリング部材9aに関する効果を持つ。管26を経て加圧で、又は他方開口部27又は負圧空間8から開口部28の組合せを経て負圧で、ボックス状部分9bに、負圧化又は加圧化された空気の導入を行うことができる。もしも開口部28の組合せ開口部がお互いに対面するならば、空気流れは、この道筋を通って全く自由に通過することができ、開口部28の組合せの開口部がお互いに対面しないとき、流れはより少ない漏れ流れである。開口部27は、調整可能で、例えば、スライドする減衰構造（図示されていない）で作られることができる。もしも加圧された空気の圧力が更に増加するならば、ある点で、空間11のラビリンスシーリングは、繊維4bに接触し、そのときシーリングが素早く磨耗するので、不利となる。支持点10では、ピン取り付けは、むしろ動くことができるように取り付けられ、それ故に、それは、それ自身知られている、所謂刃受け（knife  bearing）、トリガーヒンジ又はその類、の助けで実行されてきた。もしも、例えば、一枚の紙又はある他の通常のウェブと異質の材料がウェブ4に沿ってやってきたならば、まさに可動のシーリング部材9aが脇に回り、それによって、ウェブ破損の可能性は、より小さくなる。
【００２６】
図4は、ある可能なシーリング、より正確には、シーリング空間11で使うことのできるシーリング形状を図示している。参照番号12は、繊維4bに接触しているシーリングの形は繊維4bで形作るところのものに加えて、何ら特別のラビリンス特性を持たないような、一般的であるシーリングを示す。シーリング13は、いくらか、好ましくは、10個の仕切壁より多く持つ櫛型状シーリングを図示している。本開示でのシーリングのこの種のシーリング容量は、シーリング12のそれより、全く明らかによい。更に発展したシーリングモデルは、参照番号14で示されている。そのとき、各シーリングブラシ形状は、それ自身シーリング点を形成する。シーリング15は、シーリング14と相似な局所的シーリング点を持つが、シーリング室はより低いが、シーリング容量に正の効果を持つ、それ自身の形体として殆ど円形に近い。図4のすべてのシーリング解決策は、シーリングがネジで最もふさわしくシーリング空間11に取り付けられている底板を持つ。紙シートの断面方向の幅が40-150cm、より好ましくは、70-90cmであるような寸法で、シーリング部材を製作することは好まれる。そのとき、製作は、大きな作業機械を必要としないし、また、長く累積された構造のようなものに比べ、搭載がより容易である。アルミニウムは、形状形態に押出し成形でき、同様に、異なった形に異なった方法で、むしろ工作することができるので、一つの推薦される製造材料である。シーリング13-15は、それ自身知られているラビリンスシーリングとよく似ているが、加圧された空気によって案内されたシーリングは、ウェブ4に沿ってやってくる材料の影響の下で、繊維4bからより近く又はより離れる、又は、異常な場合に、動くことができる。本発明による解決策で、紙シート4aの制御性はむしろ高いウェブ速度でもよい。
【００２７】
矢印1aによって示された回転方向の乾燥シリンダー1近くの図5による解決策では、上部シーリング部分17と下部シーリング部分18を持つボックス状の負圧空間16がある。シーリング部材19は、シーリング間で形成される幾つかのシーリングポケット20a-20dを持つラビリンスシーリングである。図5では、4個のシーリングポケット20a-20dが示されているが、ポケットの数は2-10の範囲内で典型的には変えられよう。シーリングフレーム21として、シーリング壁がそれら自身の他端から取り付けられ、運転場所で新しい物と取り替えられることのできる柔軟材料、例えば、ゴム、から作られる組立品である。シーリングフレーム21の上端は、柔軟で可動方法でボックス状部分の溝スロット22に取り付けられてきた。取り付け点の下方であるが、しかしながら、最も上部シーリングポケット20dの上部にあるシーリングフレームの上部は、図7と8に後ほど示すように、柔軟で全く容易に曲がる、かなり薄いゴムで作られている。そこで接触するシーリングフレーム21の下方部分では、ベローズ要素23a又はその類、ベローズ要素の内部で作用する媒体の圧力を増加又は減少させたりすることによって、変化できる形状と前部分の位置がある。図5の使用では（示されていない）、所望の大きさの負圧は、他の側で作られる負圧を逆にするために、反対側の開口部間隙によって問題としている点で、シーリング部材の異なった内部空間にもたらされることができる。
【００２８】
図6による構造では、シーリング部分18において、ウェブ4方向におけるポケット25a-25bの長さが異なっているシーリングフレームでは、ラビリンスシーリングが用いられている。シーリング部材の他の形状は、しかしながら、図5の上部のシーリング装置で表したものと相似である。図6による場合では、ベローズ23b内の過剰圧力は小さい、又は、負圧はその内部で優勢である。従って、シーリングフレーム24は、紙ウェブから遠く、シーリングフレーム24の置き換えは、新しい要素をスロットに端を上向けて押し込むことによって可能になり、同時に、それらは古い要素を押しやる。
【００２９】
図7に図示された位置では、シーリング部分18は操作位置にあり、即ち、シーリングポケット25a-25dの前部分は繊維4b近くにある。媒体の圧力は、図6の状況と比べるとき、ベローズ23bで、増加されてきた。シーリングフレームは、ベローズ23bでの圧力増加の効果により上部近くで曲げられてきた。ベローズ23bの前部分の前進は、通常、可動道筋の一端から他方まで数センチメータであり、また、ラビリンスポケットの縁部は、殆ど同じ長さ、又は、僅かに長いかである。注意すべきことは、ラビリンスポケットの縁部は、相当に薄く、従って、それらが、少なくとも、所謂、紙塊がそれらに当たるときでも、曲がるだろうし、又は、少なくとも材料の僅かな量でさえも、この種の状況で離脱しないだろう。
【００３０】
図8に示す解決策では、ラビリンスシーリングは、既に磨耗し、ベローズ23bの運動経路は既にその端にある。この磨耗しているラビリンスシーリングは、既に取り替えられる必要がある。
【００３１】
ラビリンスシーリングのシーリング間隙によって形成されるシーリングストリップ（sealing  strip）の固定している構造は、図には示されていないが、所謂、蟻継ぎ形状を持つスロットがシーリングフレーム24に形成されることが、推薦される。それに対応して、シーリングストリップは蟻継ぎに適合する形状を持ち、従って、ストリップは運転場所でそれらの場所に押し込められる。
【００３２】
上述のシーリング部材装置が、ボックスが吹き付け又は吸引装置の助け、又は、少なくとも吸引開口部を持ち、繊維の外表面にシートを維持し、それにより、走行性を改善する、ポケット空間におけるより大きなボックスの一部分であるアプリケーションは、本発明の利用する際に有用である。例えば、特許文献FI106568とUS5782009で表されたボックスに統合されるとき、より効果的な吸引がシーリング装置によりそこで達成されるので、本発明によるシーリング装置は、空気の漏洩量を減少するので、要求される全ポケット領域に相当な利益をもたらす。
【００３３】
図は、本発明による好ましい使用の単なる例を図示している。当業者にとって、本発明は上の例にのみ限定されないが、しかし、本発明は下記に記載される請求項の枠組み内で変えられようことは、明らかである。独立項では、本発明のある可能な実施例は表され、それらが本発明の保護の範囲を限定するように考えられるべきではない。
【図面の簡単な説明】
【００３４】
【図１】本発明の使用のアプリケーション、ペーパーマシンの乾燥セクションの一部、乾燥シリンダーで画成されたポケット空間、回転する吸引シリンダーとワイヤー、を示す図である。
【図２】本発明によるシーリング装置を使うときの図1による拡大された乾燥セクションを示す図である。
【図３】図2に図示されたシーリング装置の部分拡大図である。
【図４】シーリング空間で使われる幾つかの考えられるシーリングプロファイルを示す図である。
【図５】ロール近くの、本発明による一個のヒンジ接続されたシーリング装置を示す図である。
【図６】シーリングが紙ウェブから離れ、特に、交換位置にあるとき、図5によるシーリング装置の下部を示す図である。
【図７】通常の操作位置での図6によるシーリング装置を示す図である。
【図８】シーリング部材が殆ど磨耗し取り替え前の、図6によるシーリング装置を示す図である。
【図１】
2006506548.tif 000003
【図２】
2006506548.tif 000004
【図３】
2006506548.tif 000005
【図４】
2006506548.tif 000006
【図５】
2006506548.tif 000007
【図６】
2006506548.tif 000008
【図７】
2006506548.tif 000009
【図８】
2006506548.tif 000010
【国際調査報告】
2006506548.tif 000011
2006506548.tif 000012
2006506548.tif 000013